(57)【要約】【課題】部品点数を削減し、製造コストを削減可能な遊技機島を提供する。【解決手段】１又は複数台のぱちんこ機１２を配設するための遊技機島１において、下端近傍の外壁面を幅木部材１０によって形成する。また、遊技機島１の内部空間には、遊技球を貯留するための貯留部４１を設ける。そして、幅木部材１０の一部を内部空間に位置させ、貯留部４１の下側部分と接触させることで、幅木部材１０で貯留部４１を下方側から支持した状態とする。【選択図】図２
2015123236.tif 000002
【特許請求の範囲】
【請求項１】
１又は複数台の遊技機を配設するための遊技機島であって、
下端近傍に配設される幅木部材を有し、内部空間には、遊技媒体を貯留可能な貯留部が配設されるものであり、
前記幅木部材は、一部が外部に露出すると共に、一部が前記内部空間に位置しており、前記貯留部の下側部分と接触する接触面を備え、前記貯留部を下方側から支持することを特徴とする遊技機島。
【請求項２】
前記接触面は、前記貯留部の長手方向に沿って延びる面であることを特徴とする請求項１に記載の遊技機島。
【請求項３】
前記接触面は、前記遊技機島の長手方向に所定角度で傾斜していることを特徴とする請求項１又は２に記載の遊技機島。
【発明の詳細な説明】
【技術分野】
【０００１】
本発明は、ぱちんこ機やスロット機といった遊技機を設置するための遊技機島に関する。
【背景技術】
【０００２】
ぱちんこ機やスロット機等の遊技機が設置される遊技場では、一般的に、遊技機島と称される建造物が設けられている。そして、この遊技機島には、遊技機が設置されると共に、設置された遊技機への遊技媒体の供給や、遊技機からの遊技媒体の回収を可能とするための各種装置が内蔵されている。
【０００３】
この遊技機島の下端近傍には、一般に幅木と称される部材が取り付けられる場合がある。例えば、幅木を取り付けた遊技機島として、特許文献１に開示された遊技機島が知られている。
【０００４】
一方で、ぱちんこ機を並列する遊技機島の内部には、一般的に、遊技球を循環させるための経路が設けられている。このような遊技機島として、特許文献２に開示されたものがある。
この遊技機島では、ぱちんこ機よりも高位置に、島上タンクと、ぱちんこ機に遊技球を供給するための上側搬送路が配されている。また、ぱちんこ機よりも低位置に、島中タンクと、ぱちんこ機から排出された遊技球を回収するための下側搬送路と、遊技球を研磨するための研磨装置と、遊技球を上方へと搬送するための揚送装置が配されている。さらに、島上タンクと揚送装置の間と、上側搬送路と島中タンクの間には、縦方向に延びる縦搬送路が設けられている。
【０００５】
そして、島上タンクに貯留された遊技球は、上側搬送路を経て各ぱちんこ機に供給可能となっている。そして、ぱちんこ機から排出された遊技球は、下側搬送路を介して研磨装置に導入可能となっている。さらに、研磨装置で研磨された遊技球は、揚送装置を介して上方に揚送し、島上タンクに導入することができる。つまり、遊技機島の内部では、遊技球が循環するための循環経路が形成され、遊技球が遊技機を経由して循環可能となっている。
【０００６】
この循環経路は、上記したように、島中タンクを経由して延びる構造となっている。そのため、循環経路を流れる遊技球の一部を島中タンクに一時的に貯留することができる。また、島中タンクに貯留された遊技球は、循環流路の一部を形成する下側搬送路に排出可能となっている。
【０００７】
このことから、循環経路を流れる遊技球の量が多すぎる場合には、流れる遊技球の一部を島中タンクに貯留することができる。さらに、循環経路を流れる遊技球の量が少なすぎる場合には、島中タンク内に貯留した遊技球を排出し、循環流路を流れる遊技球の量を増加させることができる。つまり、上記した遊技機島は、循環流路を流れる遊技球の量を適量に保つことが可能となっている。
【０００８】
また、この島中タンクは、底部分に脚部が固定されており、タンク本体部分が床面から離れた高位置に固定されている。このことにより、島中タンクを所定角度だけ傾斜して延びる下側搬送路の高端側の部分に連結するだけで、島中タンクから下側搬送路に遊技球を円滑に排出することが可能となっている。
【先行技術文献】
【特許文献】
【０００９】
【特許文献１】特開２０１２−１１５４０２号公報
【特許文献２】特開２０１３−１３２４６９号公報
【発明の概要】
【発明が解決しようとする課題】
【００１０】
ところで、近年、遊技場運営における経費を削減すべく、遊技機島の新設に伴うコストの削減が望まれている。
【００１１】
そこで本発明は、従来技術の問題点に鑑み、製造コストを削減可能な遊技機島を提供することを課題とする。
【課題を解決するための手段】
【００１２】
上記課題を解決するための請求項１に記載の発明は、１又は複数台の遊技機を配設するための遊技機島であって、下端近傍に配設される幅木部材を有し、内部空間には、遊技媒体を貯留可能な貯留部が配設されるものであり、前記幅木部材は、一部が外部に露出すると共に、一部が前記内部空間に位置しており、前記貯留部の下側部分と接触する接触面を備え、前記貯留部を下方側から支持することを特徴とする遊技機島である。
【００１３】
本発明の遊技機島では、遊技機島の下端近傍で外壁面を形成する幅木部材が、遊技媒体を貯留するための貯留部を下方側から支持している。そして、貯留部は、床から離れた高位置に支持されることとなる。
すなわち、貯留部の脚部を設ける必要がなく、部品点数の削減を図ることができるので、製造コストの削減を図ることができる。
【００１４】
請求項２に記載の発明は、前記接触面は、前記貯留部の長手方向に沿って延びる面であることを特徴とする請求項１に記載の遊技機島である。
【００１５】
かかる構成によると、貯留部と、この貯留部を支持する幅木部材の接触面が広範囲に亘って接触するので、貯留部を安定した状態で固定することが可能となる。
【００１６】
請求項３に記載の発明は、前記接触面は、前記遊技機島の長手方向に所定角度で傾斜していることを特徴とする請求項１又は２に記載の遊技機島である。
【００１７】
かかる構成によると、貯留部を幅木部材の上側に取り付けるだけで、貯留部を所定角度に傾斜した状態とすることができる。
【発明の効果】
【００１８】
本発明によると、部品点数の削減が可能となり、製造コストを削減できる。
【図面の簡単な説明】
【００１９】
【図１】本発明の第１実施形態に係る遊技機島を示す斜視図である。
【図２】図１の遊技機島を示す一部破断斜視図である。
【図３】図２の幅木部材を示す斜視図である。
【図４】図１の遊技機島の内部構造を示す説明図である。
【図５】図１の遊技機島を示すＡ−Ａ断面図である。
【図６】本発明の第２実施形態に係る遊技機島を示す一部破断斜視図である。
【図７】図６の幅木部材を示す斜視図である。
【図８】本発明の第３実施形態に係る遊技機島を示す一部破断斜視図である。
【図９】図６の幅木部材を示す斜視図である。
【図１０】本発明の第３実施形態に係る遊技機島に対し、化粧板を取り付ける様子を示す説明図である。
【図１１】本発明の第４実施形態に係る遊技機島を示す一部破断斜視図である。
【図１２】図１１の遊技機島を示す断面図である。
【発明を実施するための形態】
【００２０】
以下に、本発明の実施形態に係る遊技機島１について詳細に説明するが、本発明はこれらの例に限定されるものではない。また、以下の説明において、上下左右の位置関係については特に断りのない限り通常の設置状態を基準として説明する。
【００２１】
遊技機島１は、支柱や梁といった骨格部材（図示せず）に対し、少なくとも天板２、妻板３、幕板４、ランプ板５、台間板６、膳板７といった外壁面を形成する部材を組み付けて形成されている。さらに、この遊技機島１は、膳板７の下方に位置する部分の壁面を形成する腰板部８と、腰板部８のさらに下方に位置する部分の壁面を形成する幅木部材１０を備えている。そして、この遊技機島１は、全体の外形が略直方体状となっている
【００２２】
この遊技機島１の長寸の側面には、ぱちんこ機１２（遊技機）や球貸機１３を配するための遊技機取付部１４が設けられている。
この遊技機取付部１４は、遊技機島１の高さ方向の略中央となる位置に形成される空間であり、遊技機島１の内外を連通している。この遊技機取付部１４には、ぱちんこ機１２と球貸機１３からなる組を遊技機島１の長手方向に沿うように並列配置している。つまり、ぱちんこ機１２と、これに対として設けられる球貸機１３を１組の機器群とすると、この機器群が遊技機島１の長手方向で並列するように取付けられている。
【００２３】
天板２は、遊技機島１の天井壁を形成する部材である。
【００２４】
妻板３は、遊技機島１の側壁のうち、遊技機島１の長手方向の両端部にそれぞれ位置する短寸の側壁（以下、短側壁とも称す）を形成する部材である。
【００２５】
幕板４は、遊技機島１の側壁のうち、遊技機島１の短手方向の両端部にそれぞれ位置する長寸の側壁（以下、長側壁とも称す）の一部を形成する部材である。この幕板４は、天板２の縁部分と連続しており、遊技機取付部１４の上側部分に位置している。すなわち、幕板４は、遊技機取付部１４が設けられる長側壁の上端近傍を形成する部材である。
【００２６】
ランプ板５は、上端からやや下方側に離れた部分を覆う略長方形平板状の部材であり、遊技機島１の長側壁の一部を形成している。ここで、ランプ板５の上端部分は、幕板４の下端部分と連続した状態となっている。つまり、ランプ板５は、長側壁のうち、幕板４の下方に位置する部分を形成している。
このランプ板５には、データランプ１７を取り付けるためのランプ取付部１８が設けられている。このランプ取付部１８は、複数設けられており、ランプ板５の長手方向に沿って間隔を空けて並列した状態となっている。
【００２７】
データランプ１７は、公知のそれと同様のものであり、「コールランプ」、「呼出ランプ」等とも称される装置である。このデータランプ１７は、下方に位置するぱちんこ機１２と対となっており、対となるぱちんこ機１２の稼働状況に係る情報を液晶表示画面に表示可能となっている。また、このデータランプ１７には、遊技客が遊技場従業員を呼び出す際に押下する呼び出しボタンが一体に形成されている。この呼び出しボタンが押下されると、データランプ１７と一体に形成されたランプ部分が所定のパターンで点滅動作を実施する。このことにより、呼び出しボタンを押下されたことが遊技場従業員に報知される。
【００２８】
台間板６は、ぱちんこ機１２や球貸機１３と水平方向（遊技機島１の長手方向）で隣接する部分に配され、この部分を覆うことにより、遊技機島１の長側壁の一部を形成する部材である。つまり、台間板６は、遊技機島１の高さ方向の略中央となる位置において、ぱちんこ機１２又は球貸機１３が配置されていない部分を覆っている。
【００２９】
膳板７は、平面視した形状が略四角形状となる平板状の部材であり、遊技機取付部１４の下方部分から外側へ張り出した状態となっている。
より詳細には、膳板７は、遊技客の着座側（図１において椅子のある側）へ突出しつつ、遊技機島１の長手方向に沿って延設されるものであり、遊技機島１の長手方向の一端部から他端部まで延びている。この膳板７は、大別して遊技機島１の内部側に位置する部分と、遊技機島１の外部に露出した部分とに区分されるものである。そして、内部側に位置する部分は、ぱちんこ機１２を載置するための土台として機能し、外部側に位置する部分は、遊技球（遊技媒体）を収容する収容箱（図示せず）等を載置するための載置棚として機能する。
【００３０】
腰板部８は、図２で示されるように、上下方向に沿って延びる角柱状の支柱部２１と、内壁面を形成する内側板部２２と、外壁面を形成する外側板部２３を備えた壁状の部分である。
より詳細には、遊技機島１の長手方向に沿って並列する複数の支柱部２１（１つのみ図示し、他を省略する）に対し、内部側から内側板部２２を、外側から外側板部２３をそれぞれ取り付けて形成されている。
【００３１】
内側板部２２には、その内側面に溝部２５が設けられている。この溝部２５は、外側面に向かって窪んだ溝であり、遊技機島１の長手方向に沿って延びている。
なお、この溝部２５は、長手方向の一端側が他端側が比べて高位置となっている。つまり、この溝部２５は、斜め方向に延びる溝となっている。
【００３２】
幅木部材１０は、本実施形態の特徴的な部分であり、遊技機島１を設置する設置場所の床面、すなわち、遊技場等の床面上に配設される部材となっている。
【００３３】
この幅木部材１０は、図３で示されるように、長尺状の木製部材であり、略直方体状の基台部３０と、基台部３０の上面から上方に突出するタンク支持部３１とを備えた構成となっている。
【００３４】
タンク支持部３１は、基台部３０の上面のうち、幅方向の一端側よりの部分に形成された立板状の部分である。すなわち、幅木部材１０は、断面形状が略「Ｌ」字状となる部材であるといえる。
【００３５】
また、このタンク支持部３１は、幅木部材１０の長手方向の側方からみた形状が略三角形となっている。すなわち、タンク支持部３１の上面（接触面）は、幅木部材１０の長手方向の一端側から他端側に向かって下り勾配となる傾斜面となっている。つまり、タンク支持部３１もまた、基台部３０の長手方向に沿って延びており、一方端側が他方端側に比べて高くなっており、他方端側に向かって徐々に低くなっていく。
【００３６】
ここで、本実施形態の遊技機島１の内部構造について、詳細に説明する。
【００３７】
遊技機島１の内部には、図４で示されるように、島上タンク３６、補給レール３７、オーバーフローレール３８、球抜きホース３９、オーバーフローホース４０、貯留部４１、アウトレール４２、研磨装置４３、揚送装置４４がそれぞれ設けられている。
【００３８】
このうち、島上タンク３６と貯留部４１には、遊技機島１の内部で循環する遊技球を一時的に貯留することが可能となっている。また、補給レール３７、オーバーフローレール３８、球抜きホース３９、オーバーフローホース４０、アウトレール４２はそれぞれ所定の方向へ向かって遊技球を搬送するための搬送経路を形成している。
【００３９】
島上タンク３６は、遊技機島１の長手方向の中心近傍であって、ぱちんこ機１２よりも上側に取り付けられた部材であり、揚送装置４４から揚送された遊技球を一時的に貯留する貯留手段として機能する。
この島上タンク３６は、内部に貯留した遊技球を必要に応じてぱちんこ機１２に送り出す機能や、内部に一定以上の遊技球が流入した場合に遊技球を外部へ排出する機能を備えている。なお、貯留した遊技球をぱちんこ機１２に送り出す際には、補給レール３７を介してぱちんこ機１２に遊技球を供給している。そして、内部の遊技球が一定量以上となった場合には、主にオーバーフローレール３８を介して遊技球を外部へ排出している。
【００４０】
補給レール３７は、各ぱちんこ機１２に向かって遊技球を搬送する経路を形成するための部材であり、島上タンク３６が位置する部分から遊技機島１の長手方向の端部に向かって下り勾配となるように設けられている。より詳細には、本実施形態の遊技機島１には２つの補給レール３７設けられており、一方が遊技機島１の長手方向における一方端側へ向かって延びており、他方が遊技機島１の長手方向における他方端側へ向かって延びている。
【００４１】
この補給レール３７には、延び方向の中途部分に補給シュート（図示しない）が設けられている。この補給シュートは、補給レール３７から枝分かれして延びる経路、すなわち、それぞれのぱちんこ機１２や球貸機１３（図１参照）に遊技球を供給するための経路を形成する部材である。
【００４２】
オーバーフローレール３８は、補給レール３７よりもやや下方側に設けられており、補給レール３７と同様に、島上タンク３６が位置する部分から遊技機島１の長手方向の端部に向かって下り勾配となっている。このオーバーフローレール３８は、島上タンク３６の内部で一定量以上となった遊技球や、補給レール３７から溢れた遊技球を搬送する経路を形成するための部材である。
【００４３】
このように、補給レール３７とオーバーフローレール３８は、ぱちんこ機１２よりも上方で遊技球を水平方向（横方向）に搬送するための経路を形成している。
【００４４】
球抜きホース３９は、遊技機島１の長手方向の端部よりの位置に配されており、遊技球を下方へ向かって搬送するための経路を形成している。より具体的には、補給レール３７の下流端近傍に連結されると共に、補給レール３７から垂下された状態となっており、高さ方向（上下方向）に延びる経路を形成している。
なお、この球抜きホース３９によって形成される経路は、補給レール３７上に滞留した球を強制的に排出するための経路であり、通常、この球抜きホース３９の内部を遊技球が流れることはない。
【００４５】
オーバーフローホース４０もまた、遊技機島１の長手方向の端部よりの位置に配されており、遊技球を下方へ向かって搬送するための流通路を形成している。このオーバーフローホース４０は、オーバーフローレール３８の下流端近傍に連結され、オーバーフローレール３８から垂下された状態となっており、高さ方向（上下方向）に延びる流通路を形成している。
【００４６】
貯留部４１は、遊技機島１の内部で循環する遊技球を一時的に貯留するための部分であり、ぱちんこ機１２（図１参照）の下方側に形成されている。
すなわち、遊技機島１の内部空間の下方側には、図２で示されるように、腰板部８と底板形成部４５に囲まれた空間である収容空間４７が形成されており、この収容空間４７に遊技球を貯留可能となっている。
【００４７】
底板形成部４５は、略長方形平板状の部材であり、貯留部４１の底部分を形成する部材である。この底板形成部４５は、短手方向の端部が腰板部８の溝部２５に嵌め込まれて固定されている。
つまり、底板形成部４５は、上面が傾斜した状態で取り付けられることとなる。言い換えると、底板形成部４５は、遊技機島１の長手方向に対して傾斜している。
【００４８】
アウトレール４２は、ぱちんこ機１２から排出される遊技球（所謂アウト球）を搬送する流通路を形成するための部材である。
このアウトレール４２は、図２で示されるように、長尺状のレール本体部５０と、このレール本体部５０を支持するレール脚部５１を備えた部材となっている。
【００４９】
レール脚部５１は、腰板部８の内側壁面とレール本体部５０の間に介在する部材であり、その一部が腰板部８内側壁面と一体に固定され、他の一部がレール本体部５０と一体に固定されている。
つまり、アウトレール４２は収容空間４７の内部に配されており、遊技機島１の長手方向に沿って延びている。より詳細には、このアウトレール４２は研磨装置４３に向かって下り勾配となるように取り付けられている。
【００５０】
研磨装置４３は、公知のそれと同様のものであり、遊技球を研磨し、付着した汚れを除去する装置である。この研磨装置４３は、遊技機島１の長手方向の略中央となる部分の下部に配されており、研磨した遊技球を近接する揚送装置４４に搬送する機能を有している。
【００５１】
揚送装置４４は、公知のそれと同様のものであり、遊技球を上方へ向けて揚送するための装置である。
【００５２】
これらの構成を備えることにより、遊技機島１では、ぱちんこ機１２への遊技球の供給と、ぱちんこ機１２からの遊技球の回収が可能となっている。
すなわち、島上タンク３６に貯留された遊技球は、補給レール３７を介して、それぞれのぱちんこ機１２や球貸機１３に供給されることが可能となっている。また、ぱちんこ機１２から排出された遊技球は、アウトレール４２を介して研磨装置４３に導入されることが可能となっている。そして、研磨装置４３で研磨された遊技球は、揚送装置４４によって上側へ搬送され、島上タンク３６へと導入される。すなわち、遊技機島１の内部には、ぱちんこ機１２を経て遊技球が循環するための循環経路が形成されている。
【００５３】
また、その一方、島上タンク３６の貯留量が一定以上となった場合、過剰分の遊技球がオーバーフローレール３８、オーバーフローホース４０を介して貯留部４１の内部に導入される構造となっている。また、ぱちんこ機１２から排出された遊技球もまた、必要に応じて貯留部４１の内部に導入される構造となっている。
【００５４】
さらに、貯留部４１に一時的に貯留された遊技球は、研磨装置４３へ導入可能となっている。つまり、循環経路を流れる遊技球が不足した場合、具体的には、循環経路を流れる遊技球が賞球として払い出された場合等において、貯留された遊技球を研磨装置４３に導入することにより、循環経路を流れる遊技球の量を増加させることができる。
つまり、遊技機島１では、遊技球を一時的に貯留可能な貯留部４１を設けることにより、上記した循環経路を流れる遊技球の量を調整可能となっている。
【００５５】
ここで、本実施形態の遊技機島１では、図２、図５で示されるように、基台部３０のうち、幅方向の一端側に位置する側面１０ａが外部に露出している。その一方で、幅方向の他端側、詳細には、タンク支持部３１が形成されている端部側が底板形成部４５の下方側に位置している。
【００５６】
そして、基台部３０の底板形成部４５の下方側に位置する部分から、タンク支持部３１が上方に突出し、タンク支持部３１の上面が底板形成部４５の下面と広く面接触した状態となっている。
【００５７】
つまり、幅木部材１０は、底板形成部４５を下方側から支持している。このことにより、貯留部４１に遊技球が貯留されたとき、底板形成部４５が貯留した遊技球から受ける荷重を幅木部材１０で受けることができる。このため、遊技球から受ける荷重に起因する底板形成部４５や腰板部８の撓みを抑制できる。つまり、幅木部材１０で荷重を受けることで、底板形成部４５や腰板部８に過度な負荷がかからない構造となっている。
【００５８】
本実施形態では、外表面の下端近傍部分を形成するための幅木部材１０が底板形成部４５を支持する構造となっている。このため、底板形成部４５を支持する脚部をわざわざ設ける必要がなく、部品点数の削減を図ることができる。
【００５９】
続いて、本発明の第２実施形態の遊技機島１０１について、図面を参照しつつ詳細に説明する。なお、上記した第１実施形態と同様の部分については、同じ符号を付して説明を省略する。
【００６０】
図６で示される遊技機島１０１は、上記した実施形態の幅木部材１０とは異なる形状の幅木部材１１０を備えた構造となっている。
【００６１】
本実施形態の幅木部材１１０は、図７で示されるように、基台部３０の上面のうち、幅方向の一端側よりの部分にタンク支持部１３１が設けられている。
このタンク支持部１３１は、複数設けられており、基台部３０の長手方向に沿ってそれぞれ所定の間隔を空けて並列するように形成されている。
【００６２】
複数のタンク支持部１３１は、それぞれ高さが異なる突起状の部分である。このタンク支持部１３１のうち、基台部３０の長手方向における片側端部に最も近接するタンク支持部１３１ａが最も高くなっており、他方端部に最も近接するタンク支持部１３１ｃが最も低くなっている。
つまり、複数のタンク支持部１３１は、片側端部から他方端部に向かうにつれ、高さの高いものから降順となるように並列している。
【００６３】
さらに、各々のタンク支持部１３１の上面（接触面）は、いずれも片側端部から他方端部に向かって下り勾配となるように傾斜している。そして、これらの傾斜角度は同一（又は略同一）となっている。このとき、並列するタンク支持部１３１のそれぞれの上面は、同一平面上（又は略同一平面上）に位置した状態となる。言い換えると、タンク支持部１３１の上面の全ては、仮想傾斜面、すなわち、基台部３０の長手方向の片側端部から他方端部に向かって下り勾配となる仮想傾斜面と重なる（又は略重なる）こととなる。
【００６４】
この幅木部材１１０もまた、図６で示されるように、基台部３０のうち、幅方向の一端側に位置する側面１１０ａが外部に露出している。その一方で、幅方向の他端側、詳細には、タンク支持部１３１が形成されている端部側が底板形成部４５の下方側に位置している。
【００６５】
そして、基台部３０から上方に突出する全てのタンク支持部１３１の上面が、底板形成部４５の下面に下方側から接触した状態となっている。すなわち、この幅木部材１１０もまた、底板形成部４５を下方側から支持した状態となっている。
【００６６】
上記した実施形態では、いずれも遊技機島１（又は遊技機島１０１）の長手方向に沿って延びる幅木部材１０（又は幅木部材１１０）を例に挙げて説明したが、本発明はこれに限るものではない。
例えば、図８に示される第３実施形態の遊技機島２０１のように、遊技機島２０１の短手方向に延びる幅木部材２１０を採用してもよい。以下、第３実施形態の遊技機島２０１について詳細に説明する。
【００６７】
本実施形態では、図８で示されるように、複数の幅木部材２１０が遊技機島２０１の長手方向に沿って並列しており、それぞれが遊技機島２０１の短手方向に沿って延びている。
【００６８】
幅木部材２１０は、図９で示されるように、略長方形平板状の基台部２３０と、基台部２３０から上方に突出する略直方体状のタンク支持部２３１とを備えた構成となっている。
【００６９】
基台部２３０とタンク支持部２３１は、その長手方向が同一の方向であって、遊技機島２０１の短手方向と同じ方向となっている。
そして、タンク支持部２３１は、基台部２３０よりも長手方向の長さが短くなっており、タンク支持部２３１と基台部２３０の長手方向における中心は、略同じ位置となっている。つまり、タンク支持部２３１は、基台部２３０の長手方向の中心側の位置から、上方に突出している。
【００７０】
ここで、複数の幅木部材２１０は、それぞれ高さが異なる構造となっており、より具体的には、タンク支持部２３１の高さが異なる構造となっている。すなわち、並列する幅木部材２１０のうち、遊技機島２０１の長手方向の一端側に最も近接する幅木部材２１０ａは、タンク支持部２３１の高さが最も高くなっている。対して、他端側に最も近接する幅木部材２１０ｃは、タンク支持部２３１の高さが最も低くなっている。つまり、複数の幅木部材２１０は、遊技機島２０１の一方端側から他方端側に向かって、タンク支持部２３１の高さが高いものから降順となるように並列している。
【００７１】
本実施形態においても、各々のタンク支持部２３１の上面（接触面）は、いずれも遊技機島２０１の一方端側から他方端側に向かって下り勾配となるように傾斜している。そして、これらの傾斜角度は同一（又は略同一）となっている。このとき、並列するタンク支持部２３１のそれぞれの上面は、同一平面上（又は略同一平面上）に位置した状態となる。言い換えると、タンク支持部２３１の上面の全ては、仮想傾斜面、すなわち、遊技機島２０１の長手方向の片側端部から他方端部に向かって下り勾配となる仮想傾斜面と重なる（又は略重なる）こととなる。
【００７２】
この幅木部材２１０もまた、図８で示されるように、基台部２３０のうち、長手方向の両端側にそれぞれ位置する側面２１１が、外部に露出した状態となっている（一方側のみ図示し、図８の奥側に位置する他方側については図示しない）。
より詳細には、基台部２３０うち、タンク支持部２３１が形成されていない部分の上方に腰板部８が位置しており、タンク支持部２３１の上部に底板形成部４５が位置している。
【００７３】
そして、全ての幅木部材２１０のタンク支持部２３１が、下方側から底板形成部４５に接触した状態となっている。すなわち、それぞれのタンク支持部２３１の上面が底板形成部４５の下面と面接触した状態となっている。すなわち、この複数の幅木部材２１０もまた、底板形成部４５を下方側から支持した状態となっている。
【００７４】
ここで、本実施形態の遊技機島２０１では、図１０で示されるように、幅木部材２１０の間に化粧板２２０を取り付けている。言い換えると、この遊技機島２０１は、幅木部材２１０と化粧板２２０によって、下端近傍における外壁面を形成している（図８参照）。
【００７５】
化粧板２２０は、略長方形平板状の木製部材であり、図示しない取り付け用の金具を介して直立した姿勢で固定されている。この化粧板２２０は、幅木部材２１０の間に形成される隙間を塞ぐように配設され、外側側面が幅木部材２１０の側面２１１と略同一の平面を形成している。
【００７６】
上記した各実施形態では、腰板部８の内側に遊技球を直接貯留する構造の遊技機島１（遊技機島１０１、遊技機島２０１）の例を示したが、本発明はこれに限るものではない。例えば、図１１、図１２で示されるように、島中タンク３４１（貯留部）を内蔵させた遊技機島３０１であってもよい。以下、第４実施形態の遊技機島３０１について詳細に説明する。
【００７７】
島中タンク３４１は、遊技機島３０１の内部空間のうち、ぱちんこ機１２の下方側に位置する空間に配される箱状の部材である。この島中タンク３４１は、外形が略直方体となる上方が開放された箱型の部材であり、内部に遊技球を貯留するための収容空間３４７が形成されている。
【００７８】
この島中タンク３４１の底部分は、傾斜面となっており、遊技機島３０１の長手方向の片側端部から他方端部に向かって下り勾配となっている。このように底部分を傾斜させることにより、収容空間３４７に貯留した遊技球を所定の方向へ流すことが可能となっている。より具体的には、島中タンク３４１の遊技球の排出口と連結されたアウトレール（図示しない）に向かって遊技球をながすことが可能となっている。
【００７９】
本実施形態の幅木部材３１０は、図１１で示されるように、略長方形平板状の木製部材となっており、遊技機島３０１の長手方向に沿って延びている。本実施形態では、２つの幅木部材３１０が遊技機島３０１の幅方向に所定間隔を空けて並列配置されている。
【００８０】
そして、幅木部材３１０のうち、幅方向の一端側に位置する側面３１０ａが外部に露出した状態となってる。そして、図１２で示されるように、幅木部材３１０の上面（接触面）のうち、外側よりの部分の上方には、腰板部８が位置している。また、内側よりの部分には、島中タンク３４１が載置されている。
【００８１】
つまり、並列配置された２つの幅木部材３１０は、いずれも上面の内側よりの部分に、島中タンク３４１の幅方向における端部側の部分が載置された状態となっている。そして、並列配置された２つの幅木部材３１０の上に島中タンク３４１が載置されることにより、島中タンク３４１は、床面から上方に離れた位置に支持された状態となっている。言い換えると、２つの幅木部材３１０それぞれの一部分が、島中タンク３４１を支持する脚部として機能した状態となっている。
【００８２】
上記した第４実施形態では、２つの幅木部材３１０を並列配置したが、本発明はこれに限るものではない。例えば、遊技機島３１０の幅方向の片側端部側から他方端部側まで広がり、且つ、遊技機島３０１に沿って延びる幅木部材を一つのみ配設してもよい。本発明の遊技機島で採用される幅木部材は、１つであってもよく、複数であってもよい。
【符号の説明】
【００８３】
１，１０１，２０１，３０１    遊技機島
１０，１１０，２１０，３１０    幅木部材
３１，１３１，２３１  タンク支持部
４１    貯留部
４５  底板形成部
３４１    島中タンク（貯留部）
【図１】
2015123236.tif 000003
【図２】
2015123236.tif 000004
【図３】
2015123236.tif 000005
【図４】
2015123236.tif 000006
【図５】
2015123236.tif 000007
【図６】
2015123236.tif 000008
【図７】
2015123236.tif 000009
【図８】
2015123236.tif 000010
【図９】
2015123236.tif 000011
【図１０】
2015123236.tif 000012
【図１１】
2015123236.tif 000013
【図１２】
2015123236.tif 000014